(57)【要約】【課題】高速型ハイパワーモータからの動力でも２軸に分配出力し得るようにすると共にトルク配分をアクティブ制御可能にしたモータ動力伝達装置を提供する。【解決手段】モータ/ジェネレータMG1,MG2を複合電流二層モータとしてケース1の中央に同軸配置し、その右側に第1および第2遊星歯車組G1,G2を、左側に第3遊星歯車組G3をそれぞれ同軸配置する。第1リングギヤR1および第2キャリアC2を相互結合すると共に第1キャリアC1および第2リングギヤR2を相互結合してG1，G2により一方の差動装置5を構成し、G3により他方の差動装置6を構成する。R2に一方の出力軸Out1を結合し、C2および第3サンギヤS3間を結合し、第１サンギヤS1にMG1を、また、第2サンギヤS2にMG2を結合する。第3リングギヤR3に他方の出力軸Out2を結合し、第3キャリアC3を固定する。MG1,MG2の動力が両差動装置5，6による減速下にOut1およびOut2へ分配出力され、MG1,MG2動力の制御によりOut1,Out2へのトルク配分比を制御可能である。【選択図】図１
2006304420.tif 000002
【特許請求の範囲】
【請求項１】
少なくとも３個の回転要素よりなる2個の差動装置を同軸に配置して具え、
これら差動装置の１回転要素間を相互に結合し、
一方の差動装置の他の２個の回転要素にそれぞれ一方のモータ／ジェネレータおよび一方の出力軸を結合し、
他方の差動装置の他の２個の回転要素のうち、一方の回転要素を固定し、他方の回転要素に他方の出力軸を結合し、これら2個の回転要素を除いた該他方の差動装置の回転要素に他方のモータ/ジェネレータを結合したことを特徴とするモータ動力伝達装置。
【請求項２】
請求項１に記載のモータ動力伝達装置において、
前記一方の差動装置を4個の回転要素よりなる差動装置で構成し、
共線図上で回転速度順方向中程に位置する該一方の差動装置の2回転要素のうち、一方の回転要素に前記一方の出力軸を結合し、他方の回転要素と前記他方の差動装置の前記1回転要素との間を相互に結合し、共線図上で回転速度順方向両端に位置する前記一方の差動装置の2回転要素のうち、前記一方の出力軸が結合された回転要素に近い回転要素に前記一方のモータ/ジェネレータを、また、前記他方の差動装置の前記1回転要素が結合された回転要素に近い回転要素に前記他方のモータ/ジェネレータをそれぞれ結合したことを特徴とするモータ動力伝達装置。
【請求項３】
請求項２に記載のモータ動力伝達装置において、
前記一方の出力軸を、対応する前記回転要素に直接結合したことを特徴とするモータ動力伝達装置。
【請求項４】
請求項３に記載のモータ動力伝達装置において、
前記一方の差動装置の、一方のモータ/ジェネレータが結合された回転要素と、一方の出力軸が結合された回転要素との間の距離をL1、一方の出力軸が結合された回転要素と、前記他方の差動装置の1回転要素に結合された回転要素との間の距離をL2、前記他方の差動装置の1回転要素に結合された回転要素と、他方のモータ/ジェネレータが結合された回転要素との間の距離をL3とし、
前記他方の差動装置の、前記一方の差動装置の1回転要素に結合された回転要素と、固定された回転要素との間の距離をL4、固定された回転要素と、他方の出力軸が結合された回転要素との間の距離をL5とし、
α＝L1/L2、β＝L3/L2、γ＝L4/L5としたとき、
αγ-(1+α)≒β-(1+β)γ
となるよう一方の差動装置および他方の差動装置をそれぞれ構成したことを特徴とするモータ動力伝達装置。
【請求項５】
請求項３または４に記載のモータ動力伝達装置において、
前記両モータ/ジェネレータのトルクをTmg1,Tmg2、回転数をNmg1,Nmg2とし、前記両出力軸のトルクをTout1,Tout2、回転数をNout1,Nout2としたとき、
Tmg1・Nmg1+Tmg2・Nmg2+Tout1・Nout1+Tout2・Nout2=0
となるよう両モータ/ジェネレータの出力を決定するよう構成したことを特徴とするモータ動力伝達装置。
【請求項６】
請求項３または４に記載のモータ動力伝達装置において、
前記両モータ/ジェネレータのトルクをTmg1,Tmg2、回転数をNmg1,Nmg2とし、前記両出力軸のトルクをTout1,Tout2、回転数をNout1,Nout2としたとき、
Tmg1・Nmg1+Tmg2・Nmg2=Tout1・Nout1+Tout2・Nout2
となるよう両モータ/ジェネレータの出力を決定するよう構成したことを特徴とするモータ動力伝達装置。
【請求項７】
請求項３または４に記載のモータ動力伝達装置において、
前記一方の差動装置を、シングルピニオン型遊星歯車組の第１および第２遊星歯車組で構成し、他方の差動装置を、シングルピニオン型遊星歯車組の第3遊星歯車組で構成し、
第１遊星歯車組のキャリアを第2遊星歯車組のリングギヤに結合すると共に前記一方の出力軸に結合し、第１遊星歯車組のリングギヤを第2遊星歯車組のキャリアに結合すると共に第3遊星歯車組のサンギヤに結合し、第１遊星歯車組のサンギヤに前記一方のモータ/ジェネレータを結合し、第2遊星歯車組のサンギヤに前記他方のモータ/ジェネレータを結合し、
第3遊星歯車組のキャリアを固定し、第3遊星歯車組のリングギヤを前記他方の出力軸に結合したことを特徴とするモータ動力伝達装置。
【請求項８】
請求項３または４に記載のモータ動力伝達装置において、
前記一方の差動装置を、シングルピニオン型遊星歯車組の第１遊星歯車組およびダブルピニオン型遊星歯車組の第２遊星歯車組で構成し、他方の差動装置を、シングルピニオン型遊星歯車組の第3遊星歯車組で構成し、
第１遊星歯車組のリングギヤを第2遊星歯車組のリングギヤに結合すると共に前記一方の出力軸に結合し、第１遊星歯車組のキャリアを第2遊星歯車組のキャリアに結合すると共に第3遊星歯車組のサンギヤに結合し、第１遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項９】
請求項３または４に記載のモータ動力伝達装置において、
前記一方の差動装置を、ダブルピニオン型遊星歯車組の第１遊星歯車組およびシングルピニオン型遊星歯車組の第２遊星歯車組で構成し、他方の差動装置を、シングルピニオン型遊星歯車組の第3遊星歯車組で構成し、
第１遊星歯車組のキャリアを第2遊星歯車組のキャリアに結合すると共に前記一方の出力軸に結合し、第１遊星歯車組のリングギヤを第2遊星歯車組のリングギヤに結合すると共に第3遊星歯車組のサンギヤに結合し、第１遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１０】
請求項３または４に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させると共に、第1および第2遊星歯車組のピニオンを共通なキャリアにより回転自在に支持して前記一方の差動装置を構成し、他方の差動装置を、シングルピニオン型遊星歯車組の第3遊星歯車組で構成し、
前記共通なキャリアを前記一方の出力軸に結合し、第2遊星歯車組のリングギヤを第3遊星歯車組のサンギヤに結合し、第１遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１１】
請求項３または４に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させて前記一方の差動装置を構成し、他方の差動装置を、シングルピニオン型遊星歯車組の第3遊星歯車組で構成し、
前記第1遊星歯車組のリングギヤを前記一方の出力軸に結合し、第2遊星歯車組のリングギヤを第3遊星歯車組のサンギヤに結合し、第１遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１２】
請求項３または４に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させると共に、第1および第2遊星歯車組のピニオンを共通なキャリアにより回転自在に支持して前記一方の差動装置を構成し、他方の差動装置を、シングルピニオン型遊星歯車組の第3遊星歯車組で構成し、
前記共通なキャリアを前記一方の出力軸に結合し、第1遊星歯車組のリングギヤを第3遊星歯車組のサンギヤに結合し、第2遊星歯車組のサンギヤに前記他方のモータ/ジェネレータを結合し、第1遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１３】
請求項３または４に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させて前記一方の差動装置を構成し、他方の差動装置を、シングルピニオン型遊星歯車組の第3遊星歯車組で構成し、
前記第2遊星歯車組のリングギヤを前記一方の出力軸に結合し、第2遊星歯車組のリングギヤを第3遊星歯車組のサンギヤに結合し、第2遊星歯車組のサンギヤに前記他方のモータ/ジェネレータを結合し、第1遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１４】
請求項３または４に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させると共に、第1および第2遊星歯車組のピニオンを共通なキャリアにより回転自在に支持して前記一方の差動装置を構成し、他方の差動装置を、シングルピニオン型遊星歯車組の第3遊星歯車組で構成し、
第2遊星歯車組のリングギヤを前記一方の出力軸に結合し、前記共通なキャリアを第3遊星歯車組のサンギヤに結合し、第2遊星歯車組のサンギヤに前記他方のモータ/ジェネレータを結合し、第1遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１５】
請求項３または４に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させると共に、第1および第2遊星歯車組のピニオンを共通なキャリアにより回転自在に支持して前記一方の差動装置を構成し、他方の差動装置を、シングルピニオン型遊星歯車組の第3遊星歯車組で構成し、
第1遊星歯車組のリングギヤを前記一方の出力軸に結合し、前記共通なキャリアを第3遊星歯車組のサンギヤに結合し、第1遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項１６】
請求項７〜１６に記載のモータ動力伝達装置において、
前記両モータ／ジェネレータをひとまとめにして同軸に配置し、
これらモータ／ジェネレータの軸線方向一方側に、第１および第２遊星歯車組をそれぞれ同軸に配置すると共に、この一方側から前記一方の出力軸を同軸に取り出し、
第３遊星歯車組を、前記両モータ／ジェネレータの軸線方向他方側に同軸に配置すると共に、この他方側から前記他方の出力軸を同軸に取り出したことを特徴とするモータ動力伝達装置。
【請求項１７】
請求項２に記載のモータ動力伝達装置において、
前記一方の出力軸を、対応する前記回転要素に対し減速機構を介して結合したことを特徴とするモータ動力伝達装置。
【請求項１８】
請求項１７に記載のモータ動力伝達装置において、
前記減速機構を、前記一方の差動装置および他方の差動装置に同軸に配置した第３の差動装置で構成し、共線図上で回転速度順方向両端における第3の差動装置の回転要素のうち、一方の回転要素を前記一方の出力軸が結合されるべき一方の差動装置の回転要素に結合し、他方を固定したことを特徴とするモータ動力伝達装置。
【請求項１９】
請求項１８に記載のモータ動力伝達装置において、
前記一方の差動装置の、一方のモータ/ジェネレータが結合された回転要素と、第3の差動装置が結合された回転要素との間の距離をL1、第3の差動装置が結合された回転要素と、前記他方の差動装置の1回転要素に結合された回転要素との間の距離をL2、前記他方の差動装置の1回転要素に結合された回転要素と、他方のモータ/ジェネレータが結合された回転要素との間の距離をL3とし、
前記他方の差動装置の、前記一方の差動装置の1回転要素に結合された回転要素と、固定された回転要素との間の距離をL4、固定された回転要素と、他方の出力軸が結合された回転要素との間の距離をL5とし、
前記第3の差動装置の、前記一方の差動装置に結合された回転要素と、固定された回転要素との間の距離をL6、固定された回転要素と、一方の出力軸が結合された回転要素との間の距離をL7とし、
α＝L1/L2、β＝L3/L2、γ＝L4/L5、ε＝L6/L7としたとき、
αγ-(1+α)(1+ε)≒β(1+ε)-(1+β)γ
となるよう一方の差動装置、他方の差動装置および第3の差動装置をそれぞれ構成したことを特徴とするモータ動力伝達装置。
【請求項２０】
請求項１８または１９に記載のモータ動力伝達装置において、
シングルピニオン型遊星歯車組の第１遊星歯車組およびシングルピニオン型遊星歯車組の第２遊星歯車組を、第1遊星歯車組のキャリアと第2遊星歯車組のリングギヤとの相互結合、および、第1遊星歯車組のリングギヤと第2遊星歯車組のキャリアとの相互結合により相関させて前記一方の差動装置を構成し、前記他方の差動装置を、シングルピニオン型遊星歯車組の第3遊星歯車組で構成し、前記第3の差動装置を、シングルピニオン型遊星歯車組の第4遊星歯車組で構成し、
第1遊星歯車組のリングギヤを第4遊星歯車組のサンギヤに結合し、第4遊星歯車組のリングギヤを固定し、第4遊星歯車組のキャリアを前記一方の出力軸に結合し、第1遊星歯車組のキャリアを第3遊星歯車組のサンギヤに結合し、第1遊星歯車組のサンギヤに前記一方のモータ/ジェネレータを結合し、第2遊星歯車組のサンギヤに前記他方のモータ/ジェネレータを結合し、
第3遊星歯車組のキャリアを固定し、第3遊星歯車組のリングギヤを前記他方の出力軸に結合したことを特徴とするモータ動力伝達装置。
【請求項２１】
請求項１８または１９に記載のモータ動力伝達装置において、
シングルピニオン型遊星歯車組の第１遊星歯車組およびシングルピニオン型遊星歯車組の第２遊星歯車組を、第1遊星歯車組のキャリアと第2遊星歯車組のリングギヤとの相互結合、および、第1遊星歯車組のリングギヤと第2遊星歯車組のキャリアとの相互結合により相関させて前記一方の差動装置を構成し、前記他方の差動装置を、シングルピニオン型遊星歯車組の第3遊星歯車組で構成し、前記第3の差動装置を、シングルピニオン型遊星歯車組の第4遊星歯車組で構成し、
第1遊星歯車組のリングギヤを第4遊星歯車組のリングギヤに結合し、第4遊星歯車組のサンギヤを固定し、第4遊星歯車組のキャリアを前記一方の出力軸に結合し、第1遊星歯車組のキャリアを第3遊星歯車組のサンギヤに結合し、第1遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項２２】
請求項１８または１９に記載のモータ動力伝達装置において、
シングルピニオン型遊星歯車組の第１遊星歯車組およびシングルピニオン型遊星歯車組の第２遊星歯車組を、第1遊星歯車組のピニオンが第2遊星歯車組のサンギヤにも噛合するよう相関させて前記一方の差動装置を構成し、前記他方の差動装置を、シングルピニオン型遊星歯車組の第3遊星歯車組で構成し、前記第3の差動装置を、シングルピニオン型遊星歯車組の第4遊星歯車組で構成し、
第1遊星歯車組のキャリアを第4遊星歯車組のサンギヤに結合し、第4遊星歯車組のリングギヤを固定し、第4遊星歯車組のキャリアを前記一方の出力軸に結合し、第2遊星歯車組のリングギヤを第3遊星歯車組のサンギヤに結合し、第1遊星歯車組のサンギヤに前記他方のモータ/ジェネレータを結合し、第2遊星歯車組のサンギヤに前記一方のモータ/ジェネレータを結合し、
第3遊星歯車組のキャリアを固定し、第3遊星歯車組のリングギヤを前記他方の出力軸に結合したことを特徴とするモータ動力伝達装置。
【請求項２３】
請求項２０〜２２に記載のモータ動力伝達装置において、
前記両モータ／ジェネレータをひとまとめにして同軸に配置し、
これらモータ／ジェネレータの軸線方向一方側に、第1、第2、第4遊星歯車組をそれぞれ同軸に配置すると共に、この一方側から前記一方の出力軸を同軸に取り出し、
第３遊星歯車組を、前記両モータ／ジェネレータの軸線方向他方側に同軸に配置すると共に、この他方側から前記他方の出力軸を同軸に取り出したことを特徴とするモータ動力伝達装置。
【請求項２４】
請求項１に記載のモータ動力伝達装置において、
前記一方の差動装置を、キャリアが共通な2個の遊星歯車組で構成して5個の回転要素よりなる差動装置となし、
共線図上で回転速度順方向両端における一方の差動装置の2回転要素のうち、一方の回転要素を前記一方のモータ/ジェネレータに結合し、他方の回転要素を前記他方の差動装置の前記1回転要素に結合し、前記共通なキャリア、または、共線図上でこの共通なキャリアに隣り合わせた回転要素の一方に前記一方の出力軸を結合し、
前記他方の差動装置を、キャリアが共通な2個の遊星歯車組で構成して5個の回転要素よりなる差動装置となし、
共線図上で回転速度順方向両端における他方の差動装置の2回転要素のうち、一方の回転要素を前記他方のモータ/ジェネレータに結合し、他方の回転要素を前記一方の差動装置の前記1回転要素に結合し、前記共通なキャリア、または、共線図上でこの共通なキャリアと他方のモータ/ジェネレータが結合された回転要素との間に位置する回転要素に前記他方の出力軸を結合し、共線図上で前記共通なキャリアと前記一方の差動装置の前記1回転要素に結合された回転要素との間に位置する回転要素を固定したことを特徴とするモータ動力伝達装置。
【請求項２５】
請求項２４に記載のモータ動力伝達装置において、
前記一方の差動装置の、一方のモータ/ジェネレータが結合された回転要素と、前記共通なキャリアとの間の距離をL1、該共通なキャリアと前記一方の出力軸が結合された回転要素との間の距離をL2、該一方の出力軸が結合された回転要素と前記両差動装置の相互結合点との間の距離をL3とし、
前記他方の差動装置の、前記固定された回転要素と前記両差動装置の相互結合点との間の距離をL4、該固定された回転要素と前記他方の出力軸が結合された回転要素との間の距離をL5、該出力軸が結合された回転要素と前記他方のモータ/ジェネレータが結合された回転要素との間の距離をL6とし、
α＝L1/L2、β＝L6/L5、γ＝L5/L4、ε＝L3/L2としたとき、
αγ/(1+ε)-(1+α+ε)/( 1+ε)≒-(1+β)
となるよう一方の差動装置および他方の差動装置をそれぞれ構成したことを特徴とするモータ動力伝達装置。
【請求項２６】
請求項２４または２５に記載のモータ動力伝達装置において、
前記両モータ/ジェネレータのトルクをTmg1,Tmg2、回転数をNmg1,Nmg2とし、前記両出力軸のトルクをTout1,Tout2、回転数をNout1,Nout2としたとき、
Tmg1・Nmg1+Tmg2・Nmg2+Tout1・Nout1+Tout2・Nout2=0
となるよう両モータ/ジェネレータの出力を決定するよう構成したことを特徴とするモータ動力伝達装置。
【請求項２７】
請求項２４または２５に記載のモータ動力伝達装置において、
前記両モータ/ジェネレータのトルクをTmg1,Tmg2、回転数をNmg1,Nmg2とし、前記両出力軸のトルクをTout1,Tout2、回転数をNout1,Nout2としたとき、
Tmg1・Nmg1+Tmg2・Nmg2=Tout1・Nout1+Tout2・Nout2
となるよう両モータ/ジェネレータの出力を決定するよう構成したことを特徴とするモータ動力伝達装置。
【請求項２８】
請求項２４〜２７のいずれか1項に記載のモータ動力伝達装置において、
前記一方の差動装置を、キャリアが共通な第2シングルピニオン型遊星歯車組および第4シングルピニオン型遊星歯車組で構成し、
前記他方の差動装置を、キャリアが共通な第1シングルピニオン型遊星歯車組および第3シングルピニオン型遊星歯車組で構成し、
第2遊星歯車組のリングギヤを前記一方の出力軸に結合し、第2遊星歯車組のサンギヤを前記一方のモータ/ジェネレータに結合し、第4遊星歯車組のサンギヤを第3遊星歯車組のサンギヤに結合し、
他方の差動装置の共通なキャリアを前記他方の出力軸に結合し、第1遊星歯車組のリングギヤを固定し、サンギヤを前記他方のモータ/ジェネレータに結合したことを特徴とするモータ動力伝達装置。
【請求項２９】
請求項２８に記載のモータ動力伝達装置において、
前記両モータ／ジェネレータをひとまとめにして同軸に配置し、
これらモータ／ジェネレータの軸線方向一方側に、第2遊星歯車組および第4遊星歯車組をそれぞれ同軸に配置すると共に、この一方側から前記一方の出力軸を同軸に取り出し、
第1遊星歯車組および第3遊星歯車組を、前記両モータ／ジェネレータの軸線方向他方側に同軸に配置すると共に、この他方側から前記他方の出力軸を同軸に取り出したことを特徴とするモータ動力伝達装置。
【発明の詳細な説明】
【技術分野】
【０００１】
本発明は、車輪をモータで駆動するとき等に用い、モータ動力を左右輪や、前後輪に分配出力するのに有用なモータ動力伝達装置に関するものである。
【背景技術】
【０００２】
前後一方の左右輪をエンジンで駆動し、これら左右輪の駆動スリップ発生時や、車両の発進時に適宜、他方の左右輪をモータで駆動するようにした所謂電動４輪駆動車両や、
或る左右輪にモータ／ジェネレータを結合して必要に応じこれら左右輪をモータ駆動したり、これら左右輪の回転エネルギーを電気エネルギーに変換して蓄電するようになした所謂ハイブリッド車両において、
モータから、これにより駆動されるべき複数車輪へモータ動力を分配して伝達するためのモータ動力伝達装置としては従来、特許文献１に記載のように、平行ギヤを用いてモータ回転を２段減速した後、左右輪に分配するようになしたものが一般的なものとして知られている。
【０００３】
しかし、かように平行ギヤを用いた２段減速式のモータ動力伝達装置は、モータが一方の軸に対して必ず径方向にオフセットすることになるため、モータを含めた車輪駆動系が径方向に大型化するという問題を避けられず、用途を限られるのが実情であった。
そこで特許文献２に記載のように、遊星歯車組を用いてモータ回転を減速すると共に、該遊星歯車組による差動機能を用いてこの減速回転を左右輪へ分配出力するようにしたものを用いることが考えられる。
なおその他に、特許文献３に記載のごとく、1個のモータからの動力を左右輪駆動力が均等になるよう分配して出力する技術も提案されている。
【特許文献１】特開平１１−２４０３４７号公報
【特許文献２】特開平０８−０４２６５６号公報
【特許文献３】特開平０８−２８２３１４号公報
【発明の開示】
【発明が解決しようとする課題】
【０００４】
しかし、特許文献2に記載のように１個の遊星歯車組を用いたモータ動力伝達装置は、遊星歯車組とモータとが同軸配置となって、モータを含めた車輪駆動系が径方向に大型化するという問題を回避し得るが、減速比を大きくするのに構成上の制約があり、高回転化したハイパワーモータが必要な場合に適用不能であるという別の問題を生ずる。
【０００５】
また遊星歯車組よりなる差動装置でモータ動力を2出力系に分配するのでは、2出力系へのトルク配分が差動装置の設計より決まってしまう固定のもので、2出力系へのトルク配分を自由に制御する必要がある場合に採用することができないため、この点でも用途が限られるという問題を生ずる。
この点、特許文献3に記載の技術も左右輪駆動力が均等になるような構成であるため、2出力系へのトルク配分を自由に制御することができず、この点に関する問題解決を実現し得ていない。
【０００６】
本発明は、高回転化したハイパワーモータが必要な場合においても、当該モータからの回転を確実に、要求される回転数に減速して出力し得ると共に、2出力系へのトルク配分を自由に制御し得るようにしたモータ動力伝達装置を提案して、上記の問題をことごとく解消することを目的とする。
【課題を解決するための手段】
【０００７】
この目的のため、本発明によるモータ動力伝達装置は、請求項１に記載した以下のごときものとする。
先ずモータ動力伝達装置は、少なくとも３個の回転要素よりなる2個の差動装置を同軸に配置して具える。
そして、これら差動装置の１回転要素間を相互に結合し、
一方の差動装置の他の２個の回転要素にそれぞれ一方のモータ／ジェネレータおよび一方の出力軸を結合し、
他方の差動装置の他の２個の回転要素のうち、一方の回転要素を固定し、他方の回転要素に他方の出力軸を結合し、これら2個の回転要素を除いた該他方の差動装置の回転要素に他方のモータ/ジェネレータを結合する。
【発明の効果】
【０００８】
かかる本発明のモータ動力伝達装置によれば、
一方の差動装置および他方の差動装置を同軸に並置し、これら差動装置の回転要素間の結合関係、および、これら回転要素に対する両モータ/ジェネレータおよび両出力軸の結合関係を上記のような結合関係にして、両モータ／ジェネレータの回転を両差動装置による減速下に両出力軸へ分配出力するようにしたから、
同軸に並置された両差動装置に対し両モータ／ジェネレータを同軸に配置し得ることとなり、両モータ／ジェネレータを含めたモータ動力伝達装置が径方向に大型化するのを回避することができる。
【０００９】
また、両モータ／ジェネレータの回転を両差動装置により減速して両出力軸へ分配出力するため、両差動装置の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００１０】
更に、両モータ／ジェネレータの回転を両差動装置により減速して両出力軸へ分配出力するため、両モータ/ジェネレータの出力の組み合わせにより、両出力軸へのトルク配分を自由に制御することができ、2出力系へのトルク配分を自由に制御する必要がある場合にも適用可能であって、用途を限られることがない。
【発明を実施するための最良の形態】
【００１１】
以下、本発明の実施の形態を、図面に示す実施例に基づき詳細に説明する。
図１は、本発明の一実施例になるモータ動力伝達装置を示す骨子図である。
図１において、１はケースを示し、該ケース１内の軸線方向（図の左右方向）右側に２個の第１および第２遊星歯車組G1,G2を同軸に並置して収納し、ケース１内の軸線方向（図の左右方向）左側に第３遊星歯車組G3を遊星歯車組G1,G2と同軸になるよう配置して収納する。
【００１２】
第１および第２遊星歯車組G1,G2は、第1遊星歯車組G1が図の左側に位置するよう配置し、これら第１および第２遊星歯車組G1,G2と、第３遊星歯車組G3との間に、一方のモータ／ジェネレータMG1および他方のモータ／ジェネレータMG2を同軸に介在させて配置する。
モータ/ジェネレータMG1,MG2は、ケース1に固定した共通なステータ3sを有し、その外周に一方のモータ／ジェネレータMG1のロータ3roを、また、内周に他方のモータ／ジェネレータMG2のロータ3riを配置して具える。
ステータ3sと外側ロータ3roとでモータ／ジェネレータMG1を構成し、ステータ3sと内側ロータ3riとでモータ／ジェネレータMG2を構成し、モータ/ジェネレータMG1,MG2を複合電流二層モータとなす。
【００１３】
この場合ステータ3sに、両モータ／ジェネレータMG1,MG2用の制御電流を複合した複合電流を流すことにより、モータ／ジェネレータMG1,MG2を個別にモータ駆動制御したり、これらモータ／ジェネレータMG1,MG2を個別の発電機（ジェネレータ）として機能させることができる。
なおモータ/ジェネレータMG1,MG2は、複合電流二層モータとして1ユニットに構成する代わりに、ステータを個々に有した個別ユニットに構成することもできる。
しかし、いずれにしてもモータ／ジェネレータMG1,MG2は、相互にひとまとめにして同軸に配置すると共に、遊星歯車組G1,G2,G3に対しても同軸に配置する。
【００１４】
第1遊星歯車組G1および第2遊星歯車組G2は、本発明における一方の差動装置5を構成し、第3遊星歯車組G3は、本発明における他方の差動装置6を構成するもので、これら第１遊星歯車組G1、第2遊星歯車組G2、および第3遊星歯車組G3をそれぞれ、サンギヤS1,S2,S3と、リングギヤR1,R2,R3と、これらサンギヤおよびリングギヤに噛合するピニオンP1,P2,P3を回転自在に支持するキャリアC1,C2,C3とからなるシングルピニオン型遊星歯車組とする。
ここで、第1遊星歯車組G1および第2遊星歯車組G2により一方の差動装置5を構成するために、第１遊星歯車組G1のキャリアC1を第2遊星歯車組G2のリングギヤR2に結合すると共に、第１遊星歯車組G1のリングギヤR1を第2遊星歯車組G2のキャリアC2に結合する。
【００１５】
そして、第2遊星歯車組G2のリングギヤR2を一方の出力軸Out1に結合し、第2遊星歯車組G2のキャリアC2を第3遊星歯車組G3のサンギヤS3に結合する。
また、第１遊星歯車組G1のサンギヤS1に一方のモータ/ジェネレータMG1を結合し、第2遊星歯車組G2のサンギヤS2に他方のモータ/ジェネレータMG2を結合する。
更に、第3遊星歯車組G3のキャリアC3を固定し、第3遊星歯車組G3のリングギヤR3を他方の出力軸Out2に結合する。
なお、サンギヤS2をモータ/ジェネレータMG2に結合する軸7は中空とし、キャリアC2をサンギヤS3に結合する軸8は、この中空軸7内を貫通して第2遊星歯車組G2の箇所から第3遊星歯車組G3の箇所まで延在させ、サンギヤS1をモータ/ジェネレータMG1に結合する軸9は、中空軸7の外周に回転自在に嵌合した中空軸とする。
【００１６】
一方の出力軸Out1は、第2遊星歯車組G2が位置するケース1の端部（図１の右端部）から同軸、回転自在に突出させて、図示せざる左右後輪用のディファレンシャルギヤ装置、または、左右前輪用のディファレンシャルギヤ装置に結合する。
他方の出力軸Out2は、上記一方の出力軸Out1が突出するとは反対側におけるケース１の端部（図１の左端部）から同軸、回転自在に突出させて、例えば図示せざる左右後輪用のディファレンシャルギヤ装置、または、左右前輪用のディファレンシャルギヤ装置に結合する。
【００１７】
図1の構成になる上記したモータ動力伝達装置は、共線図により表すと図2のごとくになり、この図の縦軸は、遊星歯車組G1,G2（一方の差動装置5）および遊星歯車組G3（他方の差動装置6）を構成する回転要素の回転速度（０を基準に、図の上方向が正回転速度、下方向が逆回転速度）を示し、横軸は、遊星歯車組G1,G2（一方の差動装置5）および遊星歯車組G3（他方の差動装置6）を構成する回転要素間の距離の比を表す。
前記した通りリングギヤR1およびキャリアC2が相互に結合され、キャリアC1およびリングギヤR2が相互に結合されていることから、
第１遊星歯車組G1および第2遊星歯車組G2よりなる一方の差動装置5は、図2に同じ符号G1,G2を用いて示したレバーの組み合わせになる1本の棒として表され、当該差動装置5を構成する回転要素の回転速度順（速い順番か、遅い順番かは変速状態に応じて異なる）は、サンギヤS1、キャリアC1（リングギヤR2）、リングギヤR1（キャリアC2）、サンギヤS2の順である。
【００１８】
第3遊星歯車組G3により構成した他方の差動装置6は、前記したごとくサンギヤS3をリングギヤR1（キャリアC2）に結合されていて、且つ、キャリアC3を固定されていることから、図2に同じ符号G3を用いて示したレバーとして表され、当該差動装置6を構成する回転要素の回転速度順（速い順番か、遅い順番かは変速状態に応じて異なる）は、サンギヤS3、キャリアC3、リングギヤR3の順である。
【００１９】
図2の共線図上で、回転速度順方向中程に位置する一方の差動装置5（G1,G2）の2回転要素、つまり、キャリアC1（リングギヤR2）およびリングギヤR1（キャリアC2）のうち、前者のキャリアC1（リングギヤR2）に一方の出力軸Out1を結合し、後者のリングギヤR1（キャリアC2）と他方の差動装置6（G3）のサンギヤS3との間を相互に結合する。
図2の共線図上で回転速度順方向両端に位置する一方の差動装置5（G1,G2）の2回転要素、つまり、サンギヤS1およびサンギヤS2のうち、一方の出力軸Out1が結合されたキャリアC1（リングギヤR2）に近い回転要素であるサンギヤS1に一方のモータ/ジェネレータMG1を、また、他方の差動装置6（G3）のサンギヤS3が結合されたリングギヤR1（キャリアC2）に近い回転要素であるサンギヤS2に他方のモータ/ジェネレータMG2をそれぞれ結合する。
【００２０】
また図2の共線図上で、一方の差動装置5（G1,G2）のリングギヤR1（キャリアC2）に結合した他方の差動装置6（G3）のサンギヤS3から遠い端部に位置する他方の差動装置6（G3）のリングギヤR3には他方の出力軸Out2を結合し、同じく図2の共線図上で、他方の差動装置6（G3）の両端間に位置するキャリアR3をケース1に固定する。
【００２１】
図1に示すモータ動力伝達装置は、モータ/ジェネレータMG1,MG2を図2の共線図に太線矢印により示す範囲内で回転速度変化させることにより、一方の差動装置5（G1,G2）と他方の差動装置6（G3）との相互結合点、および一方の出力軸Out1の結合点（キャリアC1およびリングギヤR2）、並びに他方の出力軸Out2の結合点（リングギヤR3）がそれぞれ太線矢印により示す範囲内で回転速度変化して、モータ/ジェネレータMG1,MG2の回転を両出力軸Out1,Out2に分配して出力することができる。
【００２２】
この間、モータ/ジェネレータMG1,MG2からのトルクが如何様に出力軸Out1,Out2へ伝達されるかを、図2と同じ共線図である図3上に示したベクトルに基づき以下に説明する。
図2および図3の共線図上に示すように、一方のモータ/ジェネレータMG1が結合されたサンギヤS1と、一方の出力軸Out1が結合されたキャリアC1との間の距離をL1、一方の出力軸Out1が結合されたキャリアC1と、差動装置6を結合した差動装置5の回転要素であるリングギヤR1（キャリアC2）との間の距離をL2、このリングギヤR1（キャリアC2）と、他方のモータ/ジェネレータMG2が結合されたサンギヤS2との間の距離をL3とし、
他方の差動装置6の、キャリアC3およびサンギヤS3間における距離をL4、キャリアC3およびリングギヤR3間における距離をL5とし、
α＝L1/L2、β＝L3/L2、γ＝L4/L5とすると、
一方のモータ／ジェネレータMG1が、図3に示すごとく正トルクTmg1を出力した場合、一方の出力軸Out1には(1+α)Tmg1の正トルクが発生し、他方の出力軸Out2にはα・γ・Tmg1の正トルクが発生し、
他方のモータ／ジェネレータMG2が、図3に示すごとく負トルク-Tmg2を出力した場合、一方の出力軸Out1にはβ・Tmg2の正トルクが発生し、他方の出力軸Out2には(1+β)γ・Tmg2の正トルクが発生する。
従って、モータ/ジェネレータMG1,MG2のトルクTmg1および-Tmg2により、一方の出力軸Out1には(1+α)Tmg1＋β・Tmg2の正トルクが付与され、他方の出力軸Out2にはα・γ・Tmg1 ＋(1+β)γ・Tmg2の正トルクが付与され、両出力軸Out1, Out2から同じ方向のトルクを出力することができる。
【００２３】
図4は、上記の動力伝達中における、モータ/ジェネレータMG1のトルクTmg1および回転数Nmg1と、出力軸Out1,Out2のトルクTout1,Tout2および回転数Nout1,Nout2との間、および、モータ/ジェネレータMG2のトルクTmg2および回転数Nmg2と、出力軸Out1,Out2のトルクTout1,Tout2および回転数Nout1,Nout2との間の関係係数を示す説明図であり、
図4には更に、モータ/ジェネレータトルクTmg1,Tmg2により出力軸Out1,Out2が出力するトルクTout1,Tout2、および、その時の出力軸回転数Nout1,Nout2により決まるモータ/ジェネレータMG1,MG2の回転数Nmg1,Nmg2をそれぞれ併記した。
【００２４】
ここで、両モータ/ジェネレータMG1,MG2のトルク値Tmg1,Tmg2を同じにしたときに、両出力軸Out1,Out2のトルクTout1,Tout2が同じになるようにする条件を説明するに、そのためには、
(1+α)Tmg1＋β・Tmg2＝α・γ・Tmg1 ＋(1+β)γ・Tmg2
を成立させる必要があるが、いまTmg1＝Tmg2であることから、
αγ-(1+α)≒β-(1+β)γ
となるよう、前記した一方の差動装置5（G1,G2）および他方の差動装置6（G3）における距離比α,β,γをそれぞれ決定すればよいことが判る。
【００２５】
そして、モータ/ジェネレータMG1,MG2のトルクTmg1,Tmg2および回転数Nmg1,Nmg2と、両出力軸Out1,Out2のトルクTout1,Tout2および回転数Nout1,Nout2との間に
Tmg1・Nmg1+Tmg2・Nmg2+Tout1・Nout1+Tout2・Nout2=0
の関係が成立するようモータ/ジェネレータMG1,MG2の出力を決定することで、両出力軸Out1,Out2への駆動力配分を任意に制御することができ、前後輪駆動力配分制御に用いることができる。
【００２６】
また駆動力配分制御に際しては図4から明らかなように、両出力軸Out1,Out2の一方の回転数をゼロにすることで当該出力軸からの出力もゼロにすることができ、この時、他方の出力軸に両モータ/ジェネレータMG1,MG2の出力を合計して出力させることが可能である。
従って、
Tmg1・Nmg1+Tmg2・Nmg2=Tout1・Nout1+Tout2・Nout2
の関係が成立するようモータ/ジェネレータMG1,MG2の出力を決定することで、出力軸Out1,Out2の駆動力配分を0％〜100％まで任意に変更可能となり、4輪駆動車のアクティブな前後輪駆動力配分制御を可能にして悪路走破性を高めたり、左右輪駆動力配分制御により車両の走行安定性を高めたりするのに大いに有用である。
【００２７】
しかも上記した本実施例のモータ動力伝達装置によれば、一方の差動装置5（遊星歯車組G1,G2）および他方の差動装置6（遊星歯車組G3）を図1に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００２８】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を更に顕著なものにすることができる。
【００２９】
更に、前記作用説明および図4から明らかなように両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００３０】
最後に、前記したごとく両モータ/ジェネレータMG1,MG2の回転を両差動装置5，6により減速して両出力軸Out1,Out2へ分配出力するため、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００３１】
図5は、本発明の他の実施例になるモータ動力伝達装置を示し、図6は、その共線図である。
本実施例においては、一方の差動装置5を、シングルピニオン型遊星歯車組の第１遊星歯車組G1およびダブルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびダブルピニオン型遊星歯車組の第2遊星歯車組G2により一方の差動装置5を構成するために、第１遊星歯車組G1のリングギヤR1を第2遊星歯車組G2のリングギヤR2に結合すると共に第１遊星歯車組G1のキャリアC1を第2遊星歯車組G2のキャリアC2に結合する。
【００３２】
そして、リングギヤR1, R2の相互結合体を一方の出力軸Out1に結合し、キャリアC1,C2の相互結合体を中心軸8により第3遊星歯車組G3のサンギヤS3に結合し、第１遊星歯車組G1のサンギヤS1に中空軸9を介して他方のモータ/ジェネレータMG2（本実施例では、外側のモータ/ジェネレータをMG2とし、内側のモータ/ジェネレータをMG1とする）を結合し、第2遊星歯車組G2のサンギヤS2に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【００３３】
かかる構成とした本実施例のモータ動力伝達装置は、共線図により表すと図6のごとくに示され、割り振られる回転メンバは図2の場合と異なるものの、この図におけると同様な形状の共線図であることから、
前記した実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００３４】
本実施例のモータ動力伝達装置によれば更に、一方の差動装置5（遊星歯車組G1,G2）および他方の差動装置6（遊星歯車組G3）を図5に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００３５】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００３６】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００３７】
図7は、本発明の他の実施例になるモータ動力伝達装置を示し、図8は、その共線図である。
本実施例においては、一方の差動装置5を、ダブルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
ダブルピニオン型遊星歯車組の第１遊星歯車組G1およびシングルピニオン型遊星歯車組の第2遊星歯車組G2により一方の差動装置5を構成するために、第１遊星歯車組G1のリングギヤR1を第2遊星歯車組G2のリングギヤR2に結合すると共に第１遊星歯車組G1のキャリアC1を第2遊星歯車組G2のキャリアC2に結合する。
【００３８】
そして、キャリアC1,C2の相互結合体を一方の出力軸Out1に結合し、リングギヤR1, R2の相互結合体を中心軸8により第3遊星歯車組G3のサンギヤS3に結合し、第１遊星歯車組G1のサンギヤS1に中空軸7を介して他方のモータ/ジェネレータMG2（本実施例では、内側のモータ/ジェネレータをMG2とし、外側のモータ/ジェネレータをMG1とする）を結合し、第2遊星歯車組G2のサンギヤS2に中空軸9を介して一方のモータ/ジェネレータMG1を結合する。
また第3遊星歯車組G3のキャリアC3を固定し、第3遊星歯車組G3のリングギヤR3を他方の出力軸Out2に結合する。
【００３９】
かかる構成とした本実施例のモータ動力伝達装置は、共線図により表すと図8のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００４０】
本実施例のモータ動力伝達装置によれば更に、一方の差動装置5（遊星歯車組G1,G2）および他方の差動装置6（遊星歯車組G3）を図7に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００４１】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００４２】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００４３】
図9は、本発明の他の実施例になるモータ動力伝達装置を示し、図10は、その共線図である。
本実施例においては、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【００４４】
そして、共通なキャリアC1（C2）を一方の出力軸Out1に結合し、第2遊星歯車組G2のリングギヤ R2を中心軸8により第3遊星歯車組G3のサンギヤS3に結合し、第１遊星歯車組G1のサンギヤS1に中空軸9を介して他方のモータ/ジェネレータMG2（本実施例では、外側のモータ/ジェネレータをMG2とし、内側のモータ/ジェネレータをMG1とする）を結合し、第2遊星歯車組G2のサンギヤS2に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【００４５】
かかる構成とした本実施例のモータ動力伝達装置は、共線図により表すと図10のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００４６】
本実施例のモータ動力伝達装置によれば更に、一方の差動装置5（遊星歯車組G1,G2）および他方の差動装置6（遊星歯車組G3）を図9に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００４７】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００４８】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００４９】
図11は、本発明の他の実施例になるモータ動力伝達装置を示し、図12は、その共線図である。
本実施例においては、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【００５０】
そして、第1遊星歯車組G1のリングギヤR1を一方の出力軸Out1に結合し、第2遊星歯車組G2のリングギヤ R2を中心軸8により第3遊星歯車組G3のサンギヤS3に結合し、第１遊星歯車組G1のサンギヤS1に中空軸9を介して他方のモータ/ジェネレータMG2（本実施例では、外側のモータ/ジェネレータをMG2とし、内側のモータ/ジェネレータをMG1とする）を結合し、第2遊星歯車組G2のサンギヤS2に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【００５１】
かかる構成とした本実施例のモータ動力伝達装置は、共線図により表すと図12のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００５２】
本実施例のモータ動力伝達装置によれば更に、一方の差動装置5（遊星歯車組G1,G2）および他方の差動装置6（遊星歯車組G3）を図11に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００５３】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００５４】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００５５】
図13は、本発明の他の実施例になるモータ動力伝達装置を示し、図14は、その共線図である。
本実施例においては、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【００５６】
そして、共通なキャリアC1(C2)を一方の出力軸Out1に結合し、第1遊星歯車組G1のリングギヤ R1を中心軸8により第3遊星歯車組G3のサンギヤS3に結合し、第2遊星歯車組G2のサンギヤS2に中空軸9を介して他方のモータ/ジェネレータMG2（本実施例では、外側のモータ/ジェネレータをMG2とし、内側のモータ/ジェネレータをMG1とする）を結合し、第1遊星歯車組G1のサンギヤS1に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【００５７】
かかる構成とした本実施例のモータ動力伝達装置は、共線図により表すと図12のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００５８】
本実施例のモータ動力伝達装置によれば更に、一方の差動装置5（遊星歯車組G1,G2）および他方の差動装置6（遊星歯車組G3）を図13に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００５９】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００６０】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００６１】
図15は、本発明の他の実施例になるモータ動力伝達装置を示し、図16は、その共線図である。
本実施例においては、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【００６２】
そして、第2遊星歯車組G2のリングギヤR2を一方の出力軸Out1に結合し、第1遊星歯車組G1のリングギヤ R1を中心軸8により第3遊星歯車組G3のサンギヤS3に結合し、第2遊星歯車組G2のサンギヤS2に中空軸9を介して他方のモータ/ジェネレータMG2（本実施例では、外側のモータ/ジェネレータをMG2とし、内側のモータ/ジェネレータをMG1とする）を結合し、第1遊星歯車組G1のサンギヤS1に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【００６３】
かかる構成とした本実施例のモータ動力伝達装置は、共線図により表すと図16のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００６４】
本実施例のモータ動力伝達装置によれば更に、一方の差動装置5（遊星歯車組G1,G2）および他方の差動装置6（遊星歯車組G3）を図15に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００６５】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００６６】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００６７】
図17は、本発明の他の実施例になるモータ動力伝達装置を示し、図18は、その共線図である。
本実施例においては、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【００６８】
そして、第2遊星歯車組G2のリングギヤR2を一方の出力軸Out1に結合し、共通なキャリアC1(C2)を中心軸8により第3遊星歯車組G3のサンギヤS3に結合し、第2遊星歯車組G2のサンギヤS2に中空軸9を介して他方のモータ/ジェネレータMG2（本実施例では、外側のモータ/ジェネレータをMG2とし、内側のモータ/ジェネレータをMG1とする）を結合し、第1遊星歯車組G1のサンギヤS1に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【００６９】
かかる構成とした本実施例のモータ動力伝達装置は、共線図により表すと図18のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００７０】
本実施例のモータ動力伝達装置によれば更に、一方の差動装置5（遊星歯車組G1,G2）および他方の差動装置6（遊星歯車組G3）を図17に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００７１】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００７２】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００７３】
図19は、本発明の他の実施例になるモータ動力伝達装置を示し、図20は、その共線図である。
本実施例においては、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【００７４】
そして、第1遊星歯車組G1のリングギヤR1を一方の出力軸Out1に結合し、共通なキャリアC1(C2)を中心軸8により第3遊星歯車組G3のサンギヤS3に結合し、第1遊星歯車組G1のサンギヤS1に中空軸7を介して他方のモータ/ジェネレータMG2（本実施例では、内側のモータ/ジェネレータをMG2とし、外側のモータ/ジェネレータをMG1とする）を結合し、第2遊星歯車組G2のサンギヤS2に中空軸9を介して一方のモータ/ジェネレータMG1を結合する。
また第3遊星歯車組G3のキャリアC3を固定し、第3遊星歯車組G3のリングギヤR3を他方の出力軸Out2に結合する。
【００７５】
かかる構成とした本実施例のモータ動力伝達装置は、共線図により表すと図20のごとくに示され、割り振られる回転メンバは図2の場合と異なるものの、この図におけると同様な形状の共線図であることから、
図1〜4の実施例と同様、両モータ/ジェネレータMG1,MG2の回転を両差動装置5，6により減速して両出力軸Out1,Out2へ分配出力することとなり、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【００７６】
本実施例のモータ動力伝達装置によれば更に、一方の差動装置5（遊星歯車組G1,G2）および他方の差動装置6（遊星歯車組G3）を図19に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【００７７】
そして、本実施例のようにモータ/ジェネレータMG1,MG2をひとまとめにして同軸に配置し、
その軸線方向一方側に一方の差動装置5（遊星歯車組G1,G2）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を一層顕著なものにすることができる。
【００７８】
更に、上記したとおり両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【００７９】
なお上記した各実施例では、一方の出力軸Out1を一方の差動装置5における対応する回転メンバに対し直接結合したが、減速機構を介して結合することによりその減速比分でモータ動力伝達装置の減速比を更に大きくすることができる。
かように一方の出力軸Out1を、一方の差動装置5における対応する回転メンバに減速機構を介して結合した3実施例を、図21〜図24、図25および図26、図27および図28に基づき以下に順次説明する。
【００８０】
図21〜図24に示す本実施例においては、図21の骨子図により示すように、ケース１内の軸線方向（図の左右方向）右側に、２個の同軸配置した第１および第２遊星歯車組G1,G2よりなる一方の差動装置5と、第4遊星歯車組G4により構成した第3の差動装置10とを同軸に並置して収納し、ケース１内の軸線方向（図の左右方向）左側に第3遊星歯車組G3により構成した他方の差動装置6を、遊星歯車組G1,G2,G3と同軸になるよう配置して収納する。
【００８１】
第１および第２遊星歯車組G1,G2は、第1遊星歯車組G1が図の右側に位置するよう配置し、更にその右側に第4遊星歯車組G4を配置する。
そして、第１および第２遊星歯車組G1,G2と、第3遊星歯車組G3との間に、一方のモータ／ジェネレータMG1および他方のモータ／ジェネレータMG2を同軸に介在させて配置し、これらモータ/ジェネレータMG1,MG2は、前記各実施例におけると同様に、共通なステータ3sと、その内周に配置したモータ／ジェネレータMG1のロータ3riと、また、外周に配置したモータ／ジェネレータMG2のロータ3roとよりなる複合電流二層モータとなす。
ただし本実施例では、外側のモータ/ジェネレータをMG2とし、内側のモータ/ジェネレータをMG1とする。
なおモータ/ジェネレータMG1,MG2は、複合電流二層モータとして1ユニットに構成する代わりに、ステータを個々に有した個別ユニットに構成することもできる。
しかし、いずれにしてもモータ／ジェネレータMG1,MG2は、相互にひとまとめにして同軸に配置すると共に、遊星歯車組G1,G2,G3,G4に対しても同軸に配置する。
【００８２】
前記した通り、第1遊星歯車組G1および第2遊星歯車組G2は、本発明における一方の差動装置5を構成し、第3遊星歯車組G3は、本発明における他方の差動装置6を構成し、第4遊星歯車組G4は、本発明における第3の差動装置10を構成するもので、
これら第１遊星歯車組G1、第2遊星歯車組G2、第3遊星歯車組G3および第4遊星歯車組G4をそれぞれ、サンギヤS1,S2,S3,S4と、リングギヤR1,R2,R3,R4と、これらサンギヤおよびリングギヤに噛合するピニオンP1,P2,P3,P4を回転自在に支持するキャリアC1,C2,C3,C4とからなるシングルピニオン型遊星歯車組とする。
ここで、第1遊星歯車組G1および第2遊星歯車組G2により一方の差動装置5を構成するために、第１遊星歯車組G1のキャリアC1を第2遊星歯車組G2のリングギヤR2に結合すると共に、第１遊星歯車組G1のリングギヤR1を第2遊星歯車組G2のキャリアC2に結合する。
【００８３】
そして、第1遊星歯車組G1のリングギヤR1を一方の出力軸Out1に結合するが、この結合に際しては直接結合とせず、第4遊星歯車組G4（第3の差動装置10）を介して当該結合を行うこととする。
つまり、第1遊星歯車組G1のリングギヤR1は第4遊星歯車組G4（第3の差動装置10）のサンギヤS4に結合し、第4遊星歯車組G4（第3の差動装置10）のリングギヤR4をケース1に固定し、第4遊星歯車組G4（第3の差動装置10）のキャリアC4を一方の出力軸Out1に結合する。
【００８４】
第1遊星歯車組G1のキャリアC1を中心軸8により第3遊星歯車組G3のサンギヤS3に結合し、
第１遊星歯車組G1のサンギヤS1に中空軸7を介して一方のモータ/ジェネレータMG1を結合し、第2遊星歯車組G2のサンギヤS2に中空軸9を介して他方のモータ/ジェネレータMG2を結合する。
また、第3遊星歯車組G3のキャリアC3を固定し、第3遊星歯車組G3のリングギヤR3を他方の出力軸Out2に結合する。
【００８５】
一方の出力軸Out1は、第4遊星歯車組G4が位置するケース1の端部（図１の右端部）から同軸、回転自在に突出させて、図示せざる左右後輪用のディファレンシャルギヤ装置、または、左右前輪用のディファレンシャルギヤ装置に結合する。
他方の出力軸Out2は、上記一方の出力軸Out1が突出するとは反対側におけるケース１の端部（図１の左端部）から同軸、回転自在に突出させて、例えば図示せざる左右後輪用のディファレンシャルギヤ装置、または、左右前輪用のディファレンシャルギヤ装置に結合する。
【００８６】
図21の構成になる上記したモータ動力伝達装置は、共線図により表すと図22のごとくになり、この図の縦軸は、遊星歯車組G1,G2（一方の差動装置5）および遊星歯車組G3（他方の差動装置6）並びに遊星歯車組G4（第3の差動装置10）を構成する回転要素の回転速度（０を基準に、図の上方向が正回転速度、下方向が逆回転速度）を示し、横軸は、遊星歯車組G1,G2（一方の差動装置5）および遊星歯車組G3（他方の差動装置6）並びに遊星歯車組G4（第3の差動装置10）を構成する回転要素間の距離の比を表す。
前記した通りリングギヤR1およびキャリアC2が相互に結合され、キャリアC1およびリングギヤR2が相互に結合されていることから、
第１遊星歯車組G1および第2遊星歯車組G2よりなる一方の差動装置5は、図22に同じ符号G1,G2を用いて示したレバーの組み合わせになる1本の棒として表され、当該差動装置5を構成する回転要素の回転速度順（速い順番か、遅い順番かは変速状態に応じて異なる）は、サンギヤS1、キャリアC1（リングギヤR2）、リングギヤR1（キャリアC2）、サンギヤS2の順である。
【００８７】
第3遊星歯車組G3により構成した他方の差動装置6は、前記したごとくサンギヤS3をリングギヤR1（キャリアC2）に結合されていて、且つ、キャリアC3を固定されていることから、図22に同じ符号G3を用いて示したレバーとして表され、当該差動装置6を構成する回転要素の回転速度順（速い順番か、遅い順番かは変速状態に応じて異なる）は、サンギヤS3、キャリアC3、リングギヤR3の順である。
【００８８】
図22の共線図上で、回転速度順方向中程に位置する一方の差動装置5（G1,G2）の2回転要素、つまり、キャリアC1（リングギヤR2）およびリングギヤR1（キャリアC2）のうち、前者のキャリアC1（リングギヤR2）に、第4遊星歯車組G4よりなる第3の差動装置10を介して一方の出力軸Out1を結合し、後者のリングギヤR1（キャリアC2）と他方の差動装置6（G3）のサンギヤS3との間を相互に結合する。
キャリアC1（リングギヤR2）に第3の差動装置10（第4遊星歯車組G4）を介して一方の出力軸Out1を結合するに際しては、共線図上で回転速度順方向両端に位置する第3の差動装置10（第4遊星歯車組G4）のリングギヤR4およびサンギヤS4のうち、前者のリングギヤR4をケース1に固定し、後者のサンギヤS4を一方の差動装置5（G1,G2）のキャリアC1（リングギヤR2）に結合し、共線図上で回転速度順方向中程に位置する第3の差動装置10（第4遊星歯車組G4）のキャリアC4に一方の出力軸Out1を結合する。
【００８９】
図22の共線図上で回転速度順方向両端に位置する一方の差動装置5（G1,G2）の2回転要素、つまり、サンギヤS1およびサンギヤS2のうち、一方の出力軸Out1が結合されたキャリアC1（リングギヤR2）に近い回転要素であるサンギヤS1に一方のモータ/ジェネレータMG1を、また、他方の差動装置6（G3）のサンギヤS3が結合されたリングギヤR1（キャリアC2）に近い回転要素であるサンギヤS2に他方のモータ/ジェネレータMG2をそれぞれ結合する。
【００９０】
また図22の共線図上で、一方の差動装置5（G1,G2）のリングギヤR1（キャリアC2）に結合した他方の差動装置6（G3）のサンギヤS3から遠い端部に位置する他方の差動装置6（G3）のリングギヤR3には他方の出力軸Out2を結合し、同じく図22の共線図上で、他方の差動装置6（G3）の両端間に位置するキャリアR3をケース1に固定する。
【００９１】
図21に示すモータ動力伝達装置は、モータ/ジェネレータMG1,MG2を図22の共線図に太線矢印により示す範囲内で回転速度変化させることにより、一方の差動装置5（G1,G2）と他方の差動装置6（G3）との相互結合点、一方の差動装置5（G1,G2）と第3の差動装置10（G4）との相互結合点、および一方の出力軸Out1の結合点（キャリアC4）、並びに他方の出力軸Out2の結合点（リングギヤR3）がそれぞれ太線矢印により示す範囲内で回転速度変化して、モータ/ジェネレータMG1,MG2の回転を両出力軸Out1,Out2に分配して出力することができる。
【００９２】
この間、モータ/ジェネレータMG1,MG2からのトルクが如何様に出力軸Out1,Out2へ伝達されるかを、図22と同じ共線図である図23上に示したベクトルに基づき以下に説明する。
図22および図23の共線図上に示すように、一方のモータ/ジェネレータMG1が結合されたサンギヤS1と、一方の差動装置5（G1,G2）および第3の差動装置10（G4）の相互結合点との間の距離をL1、この相互結合点と、一方の差動装置5（G1,G2）および他方の差動装置6（G3）の相互結合点との間の距離をL2、この相互結合点と、他方のモータ/ジェネレータMG2が結合されたサンギヤS2との間の距離をL3とし、
他方の差動装置6の、キャリアC3およびサンギヤS3間における距離をL4、キャリアC3およびリングギヤR3間における距離をL5とし、
第3の差動装置10の、キャリアC4およびサンギヤS4間における距離をL6、キャリアC4およびリングギヤR4間における距離をL7とし、
α＝L1/L2、β＝L3/L2、γ＝L4/L5、ε＝L6/L7とすると、
一方のモータ／ジェネレータMG1が、図23に示すごとく正トルクTmg1を出力した場合、一方の出力軸Out1には(1+α) (1+ε)Tmg1の正トルクが発生し、他方の出力軸Out2にはα・γ・Tmg1の正トルクが発生し、
他方のモータ／ジェネレータMG2が、図23に示すごとく負トルク-Tmg2を出力した場合、一方の出力軸Out1にはβ(1+ε)Tmg2の正トルクが発生し、他方の出力軸Out2には(1+β)γ・Tmg2の正トルクが発生する。
従って、モータ/ジェネレータMG1,MG2のトルクTmg1および-Tmg2により、一方の出力軸Out1には、図1〜図20に示す各実施例におけるよりも大きな、(1+α) (1+ε)Tmg1＋β(1+ε)Tmg2の正トルクが付与され、他方の出力軸Out2には、図1〜図20に示す各実施例におけると同様な、α・γ・Tmg1 ＋(1+β)γ・Tmg2の正トルクが付与され、両出力軸Out1, Out2から同じ方向のトルクを出力することができる。
【００９３】
図24は、上記の動力伝達中における、モータ/ジェネレータMG1のトルクTmg1および回転数Nmg1と、出力軸Out1,Out2のトルクTout1,Tout2および回転数Nout1,Nout2との間、および、モータ/ジェネレータMG2のトルクTmg2および回転数Nmg2と、出力軸Out1,Out2のトルクTout1,Tout2および回転数Nout1,Nout2との間の関係係数を示す説明図であり、
図24には更に、モータ/ジェネレータトルクTmg1,Tmg2により出力軸Out1,Out2が出力するトルクTout1,Tout2、および、その時の出力軸回転数Nout1,Nout2により決まるモータ/ジェネレータMG1,MG2の回転数Nmg1,Nmg2をそれぞれ併記した。
【００９４】
ここで、両モータ/ジェネレータMG1,MG2のトルク値Tmg1,Tmg2を同じにしたときに、両出力軸Out1,Out2のトルクTout1,Tout2が同じになるようにする条件を説明するに、そのためには、
(1+α) (1+ε)Tmg1＋β(1+ε)Tmg2＝α・γ・Tmg1 ＋(1+β)γ・Tmg2
を成立させる必要があるが、いまTmg1＝Tmg2であることから、
αγ-(1+α) (1+ε)≒β(1+ε)-(1+β)γ
となるよう、前記した一方の差動装置5（G1,G2）および他方の差動装置6（G3）並びに第3の差動装置10(G4)における距離比α,β,γ,εをそれぞれ決定すればよいことが判る。
【００９５】
そして、図24に示すごとくモータ/ジェネレータMG1,MG2の回転数をNmg1,Nmg2、両出力軸Out1,Out2の回転数をNout1,Nout2とすると、
Nout1＝｛1/（1+β）｝・Nmg2
Nout2＝(1/αγ)・{（1+ε）・Nmg1-（1+α+ε）・Nout1 } 
となるので、一方の出力軸Out1の回転数Nout1は他方のモータ/ジェネレータMG2の回転数Nmg2のみにより設定することができ、また、他方の出力軸Out2の回転数Nout2は一方の出力軸Out1の回転数Nout1に加えて、一方のモータ/ジェネレータMG1の回転数Nmg1の回転数により設定することができる。
従って、両出力軸Out1,Out2の回転数Nout1,Nout2をそれぞれ独立に制御することができる。
【００９６】
また、他方の出力軸Out2の回転数Nout2をゼロにすると、自ずとモータ/ジェネレータMG2の回転数Nmg2もゼロとなり、このとき図24から明らかなごとく、
Tout2={αγ/（1+ε）}・Tmg1+(1+β)・Tmg2
となるので、モータ/ジェネレータMG2の出力がゼロでも出力軸Out2の出力増に貢献でき、また、
Tout1={(1+α+ε)/（1+ε）}・Tmg1
となるので、出力軸Out1のトルクTout1はモータ/ジェネレータMG1のみにより制御可能となり、さらに出力軸トルクTout2もモータ/ジェネレータトルクTmg２により調整が可能であることから、両出力軸Out1,Out2のトルクTout1,Tout2を任意に制御することができる。
これにより両出力軸Out1,Out2の駆動力配分を0％〜100％まで任意に変更可能となり、4輪駆動車のアクティブな前後輪駆動力配分制御を可能にして悪路走破性を高めたり、左右輪駆動力配分制御により車両の走行安定性を高めたりするのに大いに有用である。
【００９７】
しかも本実施例のモータ動力伝達装置によれば、一方の差動装置5（遊星歯車組G1,G2）および他方の差動装置6（遊星歯車組G3）並びに第3の差動装置10（遊星歯車組G4）を図21に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6，10による減速下に両出力軸Out1,Out2へ分配出力するようにしたから、
同軸に並置された差動装置5，6，10に対し両モータ/ジェネレータMG1,MG2を同軸に配置し得ることとなり、両モータ/ジェネレータMG1,MG2を含めたモータ動力伝達装置が径方向に大型化するのを回避することができる。
【００９８】
そして、本実施例のようにモータ/ジェネレータMG1,MG2をひとまとめにして同軸に配置し、
その軸線方向一方側に一方の差動装置5（遊星歯車組G1,G2）および第3の差動装置10（遊星歯車組G4）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を更に顕著なものにすることができる。
【００９９】
更に、前記作用説明および図24から明らかなように両モータ/ジェネレータMG1,MG2の回転を差動装置5，6，10により減速して両出力軸Out1,Out2へ分配出力するため、両差動装置5，6，10の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
しかも本実施例においては、一方の出力軸Out1を一方の差動装置5の回転要素（キャリアC1およびリングギヤR2）に結合するに際し、直接結合せず、減速機構としての第3の差動装置10（遊星歯車組G4）を介して当該結合を行ったから、前記したとおり一方の出力軸Out1へのトルクTout1を図1〜図20に示した各実施例におけるよりも大きくすることができる。
【０１００】
図25および図26に示す実施例においては、骨子図である図25に示すごとく、外側のモータ/ジェネレータを一方のモータ/ジェネレータMG1とし、内側のモータ/ジェネレータを他方のモータ/ジェネレータMG2とするが、
第1および第2シングルピニオン型遊星歯車組G1，G2を図21の場合と同様に相関させて一方の差動装置5を構成し、他方の差動装置6も図21におけると同様に第3シングルピニオン型遊星歯車組G3で構成する。
しかし、一方の差動装置5を一方の出力軸Out1に結合するに際し、第4遊星歯車組G4よりなる第3の差動装置10を介して、以下のごとくに当該結合を行う。
【０１０１】
つまり、第1遊星歯車組G1のリングギヤR1を第4遊星歯車組G4のリングギヤR4に結合し、第4遊星歯車組G4のサンギヤS4をケース1に固定し、第4遊星歯車組G4のキャリアC4に一方の出力軸Out1を結合することにより、第3の差動装置10（第4遊星歯車組G4）を介して一方の差動装置5のリングギヤR1（キャリアC2）に対する出力軸Out1の結合を行う。
【０１０２】
かかる構成とした本実施例のモータ動力伝達装置は、共線図により表すと図26のごとくに示され、割り振られる回転メンバは図22の場合と若干異なるものの、この図におけると同様な形状の共線図であることから、
図21〜図24の実施例と同様、両出力軸Out1,Out2の回転数Nout1,Nout2をそれぞれ独立に制御することができると共に、両出力軸Out1,Out2のトルクTout1,Tout2を任意に制御し得て、両出力軸Out1,Out2の駆動力配分を0％〜100％まで任意に変更可能であり、4輪駆動車のアクティブな前後輪駆動力配分制御を可能にして悪路走破性を高めたり、左右輪駆動力配分制御により車両の走行安定性を高めたりするのに大いに有用である。
【０１０３】
しかも本実施例のモータ動力伝達装置によれば、一方の差動装置5（遊星歯車組G1,G2）および他方の差動装置6（遊星歯車組G3）並びに第3の差動装置10（遊星歯車組G4）を図25に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6，10による減速下に両出力軸Out1,Out2へ分配出力するようにしたから、
同軸に並置された差動装置5，6，10に対し両モータ/ジェネレータMG1,MG2を同軸に配置し得ることとなり、両モータ/ジェネレータMG1,MG2を含めたモータ動力伝達装置が径方向に大型化するのを回避することができる。
【０１０４】
そして、本実施例のようにモータ/ジェネレータMG1,MG2をひとまとめにして同軸に配置し、
その軸線方向一方側に一方の差動装置5（遊星歯車組G1,G2）および第3の差動装置10（遊星歯車組G4）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を更に顕著なものにすることができる。
【０１０５】
更に、両モータ/ジェネレータMG1,MG2の回転を差動装置5，6，10により減速して両出力軸Out1,Out2へ分配出力するため、両差動装置5，6，10の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
しかも本実施例においては、一方の出力軸Out1を一方の差動装置5の回転要素（リングギヤR1およびキャリアC2）に結合するに際し、直接結合せず、減速機構としての第3の差動装置10（遊星歯車組G4）を介して当該結合を行ったから、一方の出力軸Out1へのトルクTout1を図1〜図20に示した各実施例におけるよりも大きくすることができる。
【０１０６】
図27および図28に示す実施例においては、骨子図である図27に示すごとく、一方の差動装置5を、シングルピニオン型遊星歯車組の第１遊星歯車組G1およびシングルピニオン型遊星歯車組の第2遊星歯車組G2で構成し、他方の差動装置6を、シングルピニオン型遊星歯車組の第3遊星歯車組G3で構成し、第3の差動装置10をシングルピニオン型遊星歯車組の第4遊星歯車組G4で構成する。
シングルピニオン型遊星歯車組の第１遊星歯車組G1およびシングルピニオン型遊星歯車組の第2遊星歯車組G2により一方の差動装置5を構成するために、第１遊星歯車組G1のピニオンP1を第2遊星歯車組G2のサンギヤS2にも噛合させ、第1遊星歯車組G1および第2遊星歯車組G2のピニオンP1,P2を共通なキャリアC1(C2)により回転自在に支持する。
【０１０７】
そして、共通なキャリアC1(C2)を一方の出力軸Out1に直接結合せず、第4遊星歯車組G4で構成される第3の差動装置10を介して以下のごとく出力軸Out1に結合する。
つまり、共通なキャリアC1(C2)を第4遊星歯車組G4のサンギヤS4に結合し、第4遊星歯車組G4のリングギヤR4をケース1に固定し、第4遊星歯車組G4のキャリアC4に一方の出力軸Out1を結合する。
第2遊星歯車組G2のリングギヤ R2を中心軸8により第3遊星歯車組G3のサンギヤS3に結合し、第2遊星歯車組G2のサンギヤS2に中空軸9を介して他方のモータ/ジェネレータMG2（本実施例では、外側のモータ/ジェネレータをMG2とし、内側のモータ/ジェネレータをMG1とする）を結合し、第1遊星歯車組G1のサンギヤS1に中空軸7を介して一方のモータ/ジェネレータMG1を結合する。
また第3遊星歯車組G3のキャリアC3を固定し、第3遊星歯車組G3のリングギヤR3を他方の出力軸Out2に結合する。
【０１０８】
かかる構成とした本実施例のモータ動力伝達装置は、共線図により表すと図28のごとくに示され、割り振られる回転メンバは図22の場合と若干異なるものの、この図におけると同様な形状の共線図であることから、
図21〜図24の実施例と同様、両出力軸Out1,Out2の回転数Nout1,Nout2をそれぞれ独立に制御することができると共に、両出力軸Out1,Out2のトルクTout1,Tout2を任意に制御し得て、両出力軸Out1,Out2の駆動力配分を0％〜100％まで任意に変更可能であり、4輪駆動車のアクティブな前後輪駆動力配分制御を可能にして悪路走破性を高めたり、左右輪駆動力配分制御により車両の走行安定性を高めたりするのに大いに有用である。
【０１０９】
しかも本実施例のモータ動力伝達装置によれば、一方の差動装置5（遊星歯車組G1,G2）および他方の差動装置6（遊星歯車組G3）並びに第3の差動装置10（遊星歯車組G4）を図27に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6，10による減速下に両出力軸Out1,Out2へ分配出力するようにしたから、
同軸に並置された差動装置5，6，10に対し両モータ/ジェネレータMG1,MG2を同軸に配置し得ることとなり、両モータ/ジェネレータMG1,MG2を含めたモータ動力伝達装置が径方向に大型化するのを回避することができる。
【０１１０】
そして、本実施例のようにモータ/ジェネレータMG1,MG2をひとまとめにして同軸に配置し、
その軸線方向一方側に一方の差動装置5（遊星歯車組G1,G2）および第3の差動装置10（遊星歯車組G4）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G3）を同軸に配置すると共にこの他方側から他方の出力軸Out2を同軸に取り出した構成を採用することで、
前記した径方向コンパクト化に関する作用効果を更に顕著なものにすることができる。
【０１１１】
更に、両モータ/ジェネレータMG1,MG2の回転を差動装置5，6，10により減速して両出力軸Out1,Out2へ分配出力するため、両差動装置5，6，10の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
しかも本実施例においては、一方の出力軸Out1を一方の差動装置5の回転要素（キャリアC1およびキャリアC2）に結合するに際し、直接結合せず、減速機構としての第3の差動装置10（遊星歯車組G4）を介して当該結合を行ったから、一方の出力軸Out1へのトルクTout1を図1〜図20に示した各実施例におけるよりも大きくすることができる。
【０１１２】
図29〜図32は、本発明の更に他の実施例になるモータ動力伝達装置を示し、図29はその骨子図、図30および図31はその共線図、図32はその入出力間における相関係数に係わる説明図である。
骨子図を示す図29により構成を説明するに、ケース１内の軸線方向（図の左右方向）右側に2個の第2および第4遊星歯車組G2,G4を同軸に並置して収納し、ケース１内の軸線方向（図の左右方向）左側に第1遊星歯車組G1および第3遊星歯車組G3を収納し、これら遊星歯車組G1,G2,G3,G4を全て同軸になるよう配置する。
【０１１３】
第2および第4遊星歯車組G2,G4は、第2遊星歯車組G2が図の左側に位置するよう配置し、第1および第3遊星歯車組G1,G3は、第1遊星歯車組G1が図の右側に位置するよう配置し、第2および第3遊星歯車組G2,G3間に、一方のモータ／ジェネレータMG1および他方のモータ／ジェネレータMG2を同軸に介在させて配置する。
モータ/ジェネレータMG1,MG2は、ケース1に固定した共通なステータ3sを有し、その外周に一方のモータ／ジェネレータMG1のロータ3roを、また、内周に他方のモータ／ジェネレータMG2のロータ3riを配置して具えた複合電流二層モータとなす。
なおモータ/ジェネレータMG1,MG2は、複合電流二層モータとして1ユニットに構成する代わりに、ステータを個々に有した個別ユニットに構成することもできる。
しかし、いずれにしてもモータ／ジェネレータMG1,MG2は、相互にひとまとめにして同軸に配置すると共に、遊星歯車組G1,G2,G3,G4に対しても同軸に配置する。
【０１１４】
第2遊星歯車組G2および第4遊星歯車組G4は、本発明における一方の差動装置5を構成し、第1遊星歯車組G1および第3遊星歯車組G3は、本発明における他方の差動装置6を構成するもので、これら第１遊星歯車組G1、第2遊星歯車組G2、第3遊星歯車組G3および第4遊星歯車組G4をそれぞれ、サンギヤS1,S2,S3,S4と、リングギヤR1,R2と、ピニオンP1,P2,P3,P4と、これらピニオンを回転自在に支持するキャリアC1,C2,C3,C4とからなるシングルピニオン型遊星歯車組とする。
ここで、第2遊星歯車組G2および第4遊星歯車組G4により一方の差動装置5を構成するために、これら遊星歯車組G2,G4のピニオンP2,P4を共通なキャリアC2(C4)により回転自在に支持し、第1遊星歯車組G1および第3遊星歯車組G3により他方の差動装置6を構成するために、これら遊星歯車組G1,G3のピニオンP1,P3を共通なキャリアC1(C3)により回転自在に支持する。
【０１１５】
そして、第2遊星歯車組G2のリングギヤR2を一方の出力軸Out1に結合し、第1遊星歯車組G1および第3遊星歯車組G3の共通なキャリアC1(C3)を他方の出力軸Out2に結合する。
また、第2遊星歯車組G2のサンギヤS2に中空軸11を介して一方のモータ/ジェネレータMG1を結合し、第1遊星歯車組G1のサンギヤS1に中空軸12を介して他方のモータ/ジェネレータMG2を結合する。
中空軸11，12内に中心軸13を挿通し、この中心軸13を介して第4遊星歯車組G2のサンギヤS4および第3遊星歯車組G3のサンギヤS3を相互に結合する。
更に、第1遊星歯車組G1のリングギヤR1をケース1に固定する。
【０１１６】
一方の出力軸Out1は、第2および第4遊星歯車組G2,G4が位置するケース1の端部（図１の右端部）から同軸、回転自在に突出させて、図示せざる左右後輪用のディファレンシャルギヤ装置、または、左右前輪用のディファレンシャルギヤ装置に結合する。
他方の出力軸Out2は、上記一方の出力軸Out1が突出するとは反対側におけるケース１の端部（図１の左端部）から同軸、回転自在に突出させて、例えば図示せざる左右後輪用のディファレンシャルギヤ装置、または、左右前輪用のディファレンシャルギヤ装置に結合する。
【０１１７】
図29の構成になる上記したモータ動力伝達装置は、共線図により表すと図30のごとくになり、この図の縦軸は、遊星歯車組G2,G4（一方の差動装置5）および遊星歯車組G1,G3（他方の差動装置6）を構成する回転要素の回転速度（０を基準に、図の上方向が正回転速度、下方向が逆回転速度）を示し、横軸は、遊星歯車組G２,G４（一方の差動装置5）および遊星歯車組G1,G3（他方の差動装置6）を構成する回転要素間の距離の比を表す。
前記した通りキャリアC2,C4が相互に一体化され、リングギヤR2が一方の出力軸Out1に結合されていることから、
第2遊星歯車組G2および第4遊星歯車組G4よりなる一方の差動装置5は、図30に同じ符号G2,G4を用いて示したレバーの組み合わせになる棒として表され、当該差動装置5を構成する回転要素の回転速度順（速い順番か、遅い順番かは変速状態に応じて異なる）は、サンギヤS2、リングギヤR4（実際には存在しない第4遊星歯車組G4の仮装のリングギヤ）、共通なキャリアC2（C4）、リングギヤR2、サンギヤS4の順である。
【０１１８】
第1遊星歯車組G1および第3遊星歯車組G3よりなる他方の差動装置6は、前記したごとくキャリアC1,C3が相互に一体化されて他方の出力軸Out2に結合され、リングギヤR1が固定されていることから、図30に同じ符号G1,G3を用いて示したレバーの組み合わせになる棒として表され、当該差動装置6を構成する回転要素の回転速度順（速い順番か、遅い順番かは変速状態に応じて異なる）は、サンギヤS3、リングギヤR1（実際には存在しない第1遊星歯車組G1の仮装のリングギヤ）、共通なキャリアC1（C3）、リングギヤR3、サンギヤS1の順である。
【０１１９】
図30の共線図上で、回転速度順方向両端における一方の差動装置5（G2,G4）のサンギヤS2およびサンギヤS4のうち、前者のサンギヤS2を一方のモータ/ジェネレータMG1に結合し、後者のサンギヤS4を他方の差動装置6（G1,G3）におけるサンギヤS3に結合し、一方の差動装置5（G2,G4）の共通なキャリアC2（C4）と、両差動装置5，6の相互連結点との間におけるリングギヤR2に一方の出力軸Out1を結合する。
また同じく図30の共線図上で、回転速度順方向両端における他方の差動装置6（G1,G3）のサンギヤS1およびサンギヤS4のうち、前者のサンギヤS1を他方のモータ/ジェネレータMG2に結合し、後者のサンギヤS4を一方の差動装置5（G2,G4）のサンギヤS4に結合する。
そして、他方の差動装置6（G1,G3）の共通なキャリアC1(C3)に他方の出力軸Out2を結合し、共線図上でこの共通なキャリアC1(C3)と両差動装置5，6の相互結合点との間に位置するリングギヤR1を固定する。
【０１２０】
図29に示すモータ動力伝達装置は、モータ/ジェネレータMG1,MG2を図30の共線図に太線矢印により示す範囲内で回転速度変化させることにより、一方の差動装置5（G2,G4）と他方の差動装置6（G1,G3）との相互結合点（サンギヤS3,S4）、および一方の出力軸Out1の結合点（リングギヤR2）、並びに他方の出力軸Out2の結合点（キャリアC1,C3）がそれぞれ太線矢印により示す範囲内で回転速度変化して、モータ/ジェネレータMG1,MG2の回転を両出力軸Out1,Out2に分配して出力することができる。
【０１２１】
この間、モータ/ジェネレータMG1,MG2からのトルクが如何様に出力軸Out1,Out2へ伝達されるかを、図30と同じ共線図である図31上に示したベクトルに基づき以下に説明する。
図30および図31の共線図上に示すように、一方の差動装置5（G2,G4）の、一方のモータ/ジェネレータMG1が結合されたサンギヤS2と、共通なキャリアC2(C4)との間の距離をL1、この共通なキャリアC2(C4)と一方の出力軸Out1が結合されたリングギヤR2との間の距離をL2、該一方の出力軸Out1が結合されたリングギヤR2と両差動装置5，6の相互結合点（サンギヤS3,S4）との間の距離をL3とし、
他方の差動装置6（G1,G3）の、固定されたリングギヤR1と両差動装置5，6の相互結合点（サンギヤS3,S4）との間の距離をL4、該固定されたリングギヤR1と他方の出力軸Out2が結合された共通なキャリアC1(C3)との間の距離をL5、該他方の出力軸Out2が結合された共通なキャリアC1(C3)と他方のモータ/ジェネレータMg2が結合されたサンギヤS1との間の距離をL6とし、
α＝L1/L2、β＝L6/L5、γ＝L5/L4、ε＝L3/L2とすると、
一方のモータ／ジェネレータMG1が、図31に示すごとく正トルクTmg1を出力した場合、一方の出力軸Out1には(1+α+ε)Tmg1の正トルクが発生し、他方の出力軸Out2にはα・γ（1+ε）Tmg1の正トルクが発生し、
他方のモータ／ジェネレータMG2が、図31に示すごとく正トルクTmg2を出力した場合、一方の出力軸Out1へのトルクは0・Tmg2＝0となってトルク伝達されず、他方の出力軸Out2には(1+β)Tmg2の正トルクが発生する。
【０１２２】
従って、モータ/ジェネレータMG1,MG2のトルクTmg1およびTmg2により、一方の出力軸Out1には｛(1+α+ε)/ (1+ε)｝Tmg1＋0・Tmg2の正トルクが付与され、他方の出力軸Out2には｛αγ/ (1+ε)｝Tmg1 ＋(1+β)Tmg2の正トルクが付与され、両出力軸Out1, Out2から同じ方向のトルクを出力することができる。
【０１２３】
図32は、上記の動力伝達中における、モータ/ジェネレータMG1のトルクTmg1および回転数Nmg1と、出力軸Out1,Out2のトルクTout1,Tout2および回転数Nout1,Nout2との間、および、モータ/ジェネレータMG2のトルクTmg2および回転数Nmg2と、出力軸Out1,Out2のトルクTout1,Tout2および回転数Nout1,Nout2との間の関係係数を示す説明図であり、
図32には更に、モータ/ジェネレータトルクTmg1,Tmg2により出力軸Out1,Out2が出力するトルクTout1,Tout2、および、その時の出力軸回転数Nout1,Nout2により決まるモータ/ジェネレータMG1,MG2の回転数Nmg1,Nmg2をそれぞれ併記した。
【０１２４】
ここで、両モータ/ジェネレータMG1,MG2のトルク値Tmg1,Tmg2を同じにしたときに、両出力軸Out1,Out2のトルクTout1,Tout2が同じになるようにする条件を説明するに、そのためには、
｛(1+α+ε)/（1+ε）｝Tmg1＋0・Tmg2＝｛αγ（1+ε）｝Tmg1 ＋(1+β)Tmg2
を成立させる必要があるが、いまTmg1＝Tmg2であることから、
αγ/(1+ε)-(1+α+ε)/( 1+ε)≒-(1+β)
となるよう、前記した一方の差動装置5（G2,G4）および他方の差動装置6（G1,G3）における距離比α,β,γ，εをそれぞれ決定すればよいことが判る。
【０１２５】
そして、モータ/ジェネレータMG1,MG2のトルクTmg1,Tmg2および回転数Nmg1,Nmg2と、両出力軸Out1,Out2のトルクTout1,Tout2および回転数Nout1,Nout2との間に
Tmg1・Nmg1+Tmg2・Nmg2+Tout1・Nout1+Tout2・Nout2=0
の関係が成立するようモータ/ジェネレータMG1,MG2の出力を決定することで、両出力軸Out1,Out2への駆動力配分を任意に制御することができ、前後輪駆動力配分制御に用いることができる。
【０１２６】
また駆動力配分制御に際しては図32から明らかなように、両出力軸Out1,Out2の一方の回転数をゼロにすることで当該出力軸からの出力もゼロにすることができ、この時、他方の出力軸に両モータ/ジェネレータMG1,MG2の出力を合計して出力させることが可能である。
従って、
Tmg1・Nmg1+Tmg2・Nmg2=Tout1・Nout1+Tout2・Nout2
の関係が成立するようモータ/ジェネレータMG1,MG2の出力を決定することで、出力軸Out1,Out2の駆動力配分を0％〜100％まで任意に変更可能となり、4輪駆動車のアクティブな前後輪駆動力配分制御を可能にして悪路走破性を高めたり、左右輪駆動力配分制御により車両の走行安定性を高めたりするのに大いに有用である。
【０１２７】
しかも本実施例のモータ動力伝達装置によれば、一方の差動装置5（遊星歯車組G2,G4）および他方の差動装置6（遊星歯車組G1,G3）を図29に示すごとく同軸に並置し、これら差動装置の回転要素間の結合関係、および、これら回転要素に対する両モータ/ジェネレータMG1,MG2および両出力軸Out1,Out2の結合関係を上記のような結合関係にして、両モータ/ジェネレータMG1,MG2の回転を両差動装置5，6による減速下に両出力軸Out1,Out2へ分配出力するようにしたから、
同軸に並置された両差動装置5，6に対し両モータ/ジェネレータMG1,MG2を同軸に配置し得ることとなり、両モータ/ジェネレータMG1,MG2を含めたモータ動力伝達装置が径方向に大型化するのを回避することができる。
【０１２８】
そして、本実施例のようにモータ/ジェネレータMG1,MG2をひとまとめにして同軸に配置し、
その軸線方向一方側に一方の差動装置5（遊星歯車組G2,G4）を同軸に配置すると共にこの一方側から一方の出力軸Out1を同軸に取り出し、また、
ひとまとめにしたモータ/ジェネレータMG1,MG2の軸線方向他方側に他方の差動装置6（遊星歯車組G1,G3）を同軸に配置すると共にこの他方側から他方の出力軸Out2を同軸に取り出した構成を採用することで、
前記した径方向コンパクト化に関する作用効果を更に顕著なものにすることができる。
【０１２９】
更に、前記作用説明および図32から明らかなように両モータ/ジェネレータMG1,MG2の回転を両差動装置5，6により減速して両出力軸Out1,Out2へ分配出力するため、両差動装置5，6の組み合わせにより減速比を大きく設定することができることとなり、
高回転化したハイパワーモータが必要な場合においても、当該モータからの回転を確実に、要求される回転数に減速して出力することができ、かかるハイパワーモータを用いるシステムに対しても何ら問題なく適用可能であって用途を限られない。
【０１３０】
最後に、前記したごとく両モータ/ジェネレータMG1,MG2の回転を両差動装置5，6により減速して両出力軸Out1,Out2へ分配出力するため、両モータ/ジェネレータMG1,MG2の出力の組み合わせにより、両出力軸Out1,Out2へのトルク配分を自由に制御することができ、2出力系へのトルク配分を自由に制御する必要がある場合にも適用可能であって、用途を限られることがない。
【図面の簡単な説明】
【０１３１】
【図１】本発明の一実施例になるモータ動力伝達装置の概略を示す骨子図である。
【図２】同実施例になるモータ動力伝達装置の共線図である。
【図３】図2に示す共線図に、モータ動力伝達装置の動作説明用のベクトルを付加して示す共線図である。
【図４】同実施例になるモータ動力伝達装置の入出力間係数を示した説明図である。
【図５】本発明の他の実施例になるモータ動力伝達装置の概略を示す骨子図である。
【図６】同実施例になるモータ動力伝達装置の共線図である。
【図７】本発明の他の実施例になるモータ動力伝達装置の概略を示す骨子図である。
【図８】同実施例になるモータ動力伝達装置の共線図である。
【図９】本発明の他の実施例になるモータ動力伝達装置の概略を示す骨子図である。
【図１０】同実施例になるモータ動力伝達装置の共線図である。
【図１１】本発明の他の実施例になるモータ動力伝達装置の概略を示す骨子図である。
【図１２】同実施例になるモータ動力伝達装置の共線図である。
【図１３】本発明の他の実施例になるモータ動力伝達装置の概略を示す骨子図である。
【図１４】同実施例になるモータ動力伝達装置の共線図である。
【図１５】本発明の他の実施例になるモータ動力伝達装置の概略を示す骨子図である。
【図１６】同実施例になるモータ動力伝達装置の共線図である。
【図１７】本発明の他の実施例になるモータ動力伝達装置の概略を示す骨子図である。
【図１８】同実施例になるモータ動力伝達装置の共線図である。
【図１９】本発明の他の実施例になるモータ動力伝達装置の概略を示す骨子図である。
【図２０】同実施例になるモータ動力伝達装置の共線図である。
【図２１】本発明の更に他の実施例になるモータ動力伝達装置の概略を示す骨子図である。
【図２２】同実施例になるモータ動力伝達装置の共線図である。
【図２３】図22に示す共線図に、モータ動力伝達装置の動作説明用のベクトルを付加して示す共線図である。
【図２４】同実施例になるモータ動力伝達装置の入出力間係数を示した説明図である。
【図２５】本発明の更に別の実施例になるモータ動力伝達装置の概略を示す骨子図である。
【図２６】同実施例になるモータ動力伝達装置の共線図である。
【図２７】本発明の更に他の実施例になるモータ動力伝達装置の概略を示す骨子図である。
【図２８】同実施例になるモータ動力伝達装置の共線図である。
【図２９】本発明の更に他の実施例になるモータ動力伝達装置の概略を示す骨子図である。
【図３０】同実施例になるモータ動力伝達装置の共線図である。
【図３１】図30に示す共線図に、モータ動力伝達装置の動作説明用のベクトルを付加して示す共線図である。
【図３２】同実施例になるモータ動力伝達装置の入出力間係数を示した説明図である。
【符号の説明】
【０１３２】
１  ケース
G1  第１遊星歯車組
G2  第２遊星歯車組
G3  第３遊星歯車組
G4  第４遊星歯車組
S1,S2,S3,S4  サンギヤ（回転要素）
R1,R2,R3,R4  リングギヤ（回転要素）
C1,C2,C3,C4  キャリア（回転要素）
MG1  一方のモータ／ジェネレータ
MG2  他方のモータ／ジェネレータ
5  一方の差動装置
6  他方の差動装置
10  第3の差動装置
Out1  一方の出力軸
Out2  他方の出力軸
【図１】
2006304420.tif 000003
【図２】
2006304420.tif 000004
【図３】
2006304420.tif 000005
【図４】
2006304420.tif 000006
【図５】
2006304420.tif 000007
【図６】
2006304420.tif 000008
【図７】
2006304420.tif 000009
【図８】
2006304420.tif 000010
【図９】
2006304420.tif 000011
【図１０】
2006304420.tif 000012
【図１１】
2006304420.tif 000013
【図１２】
2006304420.tif 000014
【図１３】
2006304420.tif 000015
【図１４】
2006304420.tif 000016
【図１５】
2006304420.tif 000017
【図１６】
2006304420.tif 000018
【図１７】
2006304420.tif 000019
【図１８】
2006304420.tif 000020
【図１９】
2006304420.tif 000021
【図２０】
2006304420.tif 000022
【図２１】
2006304420.tif 000023
【図２２】
2006304420.tif 000024
【図２３】
2006304420.tif 000025
【図２４】
2006304420.tif 000026
【図２５】
2006304420.tif 000027
【図２６】
2006304420.tif 000028
【図２７】
2006304420.tif 000029
【図２８】
2006304420.tif 000030
【図２９】
2006304420.tif 000031
【図３０】
2006304420.tif 000032
【図３１】
2006304420.tif 000033
【図３２】
2006304420.tif 000034